(57)【要約】【課題】良好な装着感を与え、腕力の乏しい者であっても簡易かつ確実に腰部に装着できる腰痛防止用ベルトを提供する。【解決手段】腰痛防止用ベルト１Ａは、第１ベルト部１の略中央部に背当て部３を設け、背当て部３の両端部に一対の弾性部４、弾性部４よりも端部側に一対の片部５を備える。背当て部３の両端部に設けた第１補強部６には長手方向に伸縮する第２ベルト部２を設ける。両方の片部５の正面側に第１の係止部１５、一方の片部５の背面側に第２係止部１７、第２ベルト部２の先端部１９近傍の背面側に第３係止部２０を設ける。腰痛防止用ベルト１Ａを装着者に装着する際は、第１係止部１５と第２係止部１７とを係止した後に第３係止部２０を第１係止部１５に係止する。【選択図】図１
2007105308.tif 000002
【特許請求の範囲】
【請求項１】
略帯状に形成され略中央部に所定長手方向大きさの背当て部を備えた第１ベルト部と、略帯状に形成されてそれぞれ前記第１ベルト部の正面側に配設された一対の第２ベルト部とを備えた腰痛防止用ベルトであって、
前記第１ベルト部は、前記背当て部の両端部側には所定の長手方向大きさに形成され長手方向に向けて伸縮可能な弾性部をそれぞれ設けると共に前記弾性部の側部側には一定の長手方向大きさに形成された片部をそれぞれ設け、該片部の正面側略全域に第１係止部をそれぞれ設けると共に前記片部の少なくとも一方の背面側に前記第１係止部に係止される第２係止部を設け、
前記第２ベルト部は、基部が前記背当て部の長手方向両端部近傍にそれぞれ固着されると共に先端部を前記片部側にそれぞれ伸延させた状態に配設され、前記先端部の背面側には前記第１係止部に係止される第３係止部をそれぞれ設けたことを特徴とする腰痛防止用ベルト。
【請求項２】
前記背当て部の前記所定長手方向大きさは、装着者の腰部の周囲に装着した際に前記腰部の背面側略全面に当接する大きさであるとともに、前記弾性部の前記所定の長手方向大きさは、前記腰部の周囲に装着した際に前記腰部の側部略全域にそれぞれ当接する大きさであることを特徴とする請求項１に記載の腰痛防止用ベルト。
【請求項３】
前記第２ベルト部の長手方向大きさは、前記弾性部の長手方向大きさと前記片部の長手方向大きさとの総和よりも小さいことを特徴とする請求項１又は２の何れか一つに記載の腰痛防止用ベルト。
【請求項４】
一方の前記第２ベルト部の正面側には、他方の前記第２ベルト部の前記第３係止部に係止される第４係止部が配設されたことを特徴とする請求項１乃至３の何れか一つに記載の腰痛防止用ベルト。
【請求項５】
前記第１係止部、前記第２係止部、前記第３係止部、及び第４係止部は面ファスナによって形成されたことを特徴とする請求項１乃至４の何れか一つに記載の腰痛防止用ベルト。
【発明の詳細な説明】
【技術分野】
【０００１】
本発明は、人間の腰部に装着して腰痛を防止、緩和するベルトに関する。
【背景技術】
【０００２】
腰痛を防止、緩和するための手段の一つとして、腰部に固定具を装着する方法が知られている。この固定具の装着により、腰椎のずれの矯正、腰部にかかる体重負担の軽減、骨盤締め付けによる骨盤の安定化、腰回りの保護、といった効果が期待される。固定具としては幅広の布地も用いられるが、腰部に巻きつける作業が面倒であるし、伸縮性に乏しいために動きにくい。そこで、簡易に腰回りに装着し、腰痛を防止し緩和するための固定具として腰痛防止用ベルトが知られている（例えば、特許文献１参照）。この腰痛防止用ベルトの本体部は、伸縮性のある布地を幅広の略帯状に形成して長手方向両端部に係止部材を配設した構成であり、装着者の腰部の周囲に巻きつけ係止部材同士を係止させて装着する。また、特許文献１に記載されたような構成を有する腰痛防止用ベルトを第１ベルト部とし、この第１ベルト部の正面側（装着者に装着した際の表面側）の一部に、係止部材を設けた第２ベルト部をさらに設けた腰痛防止用ベルトも知られている（例えば、特許文献２参照）。この腰痛防止用ベルトにおいては、第１ベルト部を装着者に装着した後に第２ベルト部を引張って係止部材を本体部に係止させる。
【特許文献１】特開２００５−１６０５８４号公報
【特許文献２】特開２００２−３４５８６６号公報
【発明の開示】
【発明が解決しようとする課題】
【０００３】
しかし、腰部を固定させて腰痛を防止、緩和するためには腰部を強固に固定しなければならないし、腰部の背面側（即ち背中側）の全面がほぼ均等な力で強く押圧されるように装着しなければならない。そして、上記特許文献１に記載された腰痛防止用ベルトは伸縮性のある布地でできているため、腰部を固定するためにはベルトの両長手方向に均等な力で強く引っ張った状態で係止部材を係止させ、腰部を締め付けなければならない。そのため、特許文献１に記載された腰痛防止用ベルトを腕力の乏しい者（例えば老人や病人）が十分な効果を奏する形で自分の腰部に装着するのは困難であるという問題が生ずる。また、腰部の背面側に当接する部分も伸縮性を有するため、腰部の背面側を強く押圧することはできないという問題が生ずる。
【０００４】
一方、特許文献２に記載した腰痛防止用ベルトによれば、第２ベルト部の長さや配設位置によっては、それを引っ張ることによって本体部に加わる力のバランスが不均等になって腰痛を防止し緩和する効果を十分に奏しなくなる問題や、第２ベルト部が本体部の周囲にさらに装着された結果通気性が悪くなって装着者に不快感を与える問題が生ずる。特に特許文献２に記載された腰痛防止用ベルトにおいては、第２ベルト部の基部が第１ベルト部の長手方向略中央部に固着されて先端部が第１ベルト部の長手方向両端部近傍まで伸延しているため、装着者の腰部に装着された状態で第２ベルト部を引張って締め付けると、第１ベルト部の長手方向中央部だけに力が加わって腰部背面部全体に均等な押圧力を加えることができず、また、腰部略全面に第１ベルト部と第２ベルト部が重なって装着されるために通気性が極めて悪くなって、上記問題は極めて顕著に現れる。
【０００５】
この発明は、上記の点に鑑みてなされたものであり、良好な装着感を与え、腕力の乏しい者であっても簡易かつ確実に腰部に装着できて腰痛を防止し緩和する効果を十分に奏することができる腰痛防止用ベルトを提供することを課題としている。
【課題を解決するための手段】
【０００６】
上記課題を解決するため、請求項１に記載の発明は、略帯状に形成され略中央部に所定長手方向大きさの背当て部を備えた第１ベルト部と、略帯状に形成されてそれぞれ前記第１ベルト部の正面側に配設された一対の第２ベルト部とを備えた腰痛防止用ベルトであって、前記第１ベルト部は、前記背当て部の両端部側には所定の長手方向大きさに形成され長手方向に向けて伸縮可能な弾性部をそれぞれ設けると共に前記弾性部の側部側には一定の長手方向大きさに形成された片部をそれぞれ設け、該片部の正面側略全域に第１係止部をそれぞれ設けると共に前記片部の少なくとも一方の背面側に前記第１係止部に係止される第２係止部を設け、前記第２ベルト部は、基部が前記背当て部の長手方向両端部近傍にそれぞれ固着されると共に先端部を前記片部側にそれぞれ伸延させた状態に配設され、前記先端部の背面側には前記第１係止部に係止される第３係止部をそれぞれ設けたことを特徴とする。
【０００７】
請求項２に記載の発明は、請求項１に記載の構成に加え、前記背当て部の前記所定長手方向大きさは、装着者の腰部の周囲に装着した際に前記腰部の背面側略全面に当接する大きさであるとともに、前記弾性部の前記所定の長手方向大きさは、前記腰部の周囲に装着した際に前記腰部の側部略全域にそれぞれ当接する大きさであることを特徴とする。
【０００８】
請求項３に記載の発明は、請求項１又は２に記載の構成に加え、前記第２ベルト部の長手方向大きさは、前記弾性部の長手方向大きさと前記片部の長手方向大きさとの総和よりも小さいことを特徴とする。
【０００９】
請求項４に記載の発明は、請求項１乃至３の何れか一つに記載の構成に加え、一方の前記第２ベルト部の正面側には、他方の前記第２ベルト部の前記第３係止部に係止される第４係止部が配設されたことを特徴とする。
【００１０】
請求項５に記載の発明は、請求項１乃至４の何れか一つに記載の構成に加え、前記第１係止部、前記第２係止部、前記第３係止部、及び前記第４係止部は面ファスナによって形成されたことを特徴とする。
【発明の効果】
【００１１】
請求項１に記載の発明によれば、第１ベルト部の正面側に配設された一対の第２ベルト部を備えたことにより、第１ベルト部を装着者の腰部に装着したのち第２ベルト部を引張って更に締め付けることができ、腕力の乏しい者であっても簡易かつ確実に腰部に装着できて腰痛を防止させ緩和させることができる。また、第２ベルト部は基部が背当て部の長手方向両端部近傍にそれぞれ固着され先端部が片部側に伸延しているため、第１ベルト部を腰部に装着した状態で第２ベルト部の先端部を腰部正面側に向けて引張れば腰当て部が均等な強い力で腰部に圧接されるため、腰痛を防止し緩和する効果を十分に奏する状態に腰痛防止用ベルトを装着できる。しかも、腰部に装着した際に、背当て部に第２ベルト部が重ねて配設されることがないため、背当て部の良好な通気性が確保され、装着者に良好な装着感を与えることができる。また、背当て部の両端部側に、長手方向に向けて伸縮可能な弾性部が設けられているため、第２ベルト部を引張ったときにこの弾性部が収縮し、第１ベルト部にたるみが生ずることがなく、フィット感を良好にし、装着者に良好な装着感を与えることができる。また、第１ベルト部の片部に第１係止部と第２係止部とを設けると共に第２ベルト部には第３係止部を設け、第１係止部には第２係止部と第３係止部とを係止させることにより、係止部分の省スペース化を図ることができる。しかも、第１係止部は片部の略全域に設けられているため、第１ベルト部及び第２ベルト部の長さ調節を自在に行うことができ、フィット感を良好にしつつ、腰痛を防止し緩和する効果を十分に奏させることができる。
【００１２】
請求項２に記載の発明によれば、上記効果に加え、背当て部を、装着者の腰部の周囲に装着した際に腰部の背面側略全面に当接する大きさとすることにより、腰部の周囲に装着して第１ベルト部や第２ベルト部を引張った際に腰部の背面部の略全面が均等な力で強く押圧されることとなり、腰痛を防止し緩和する効果を十分に奏させることができる。また、弾性部を、腰部の周囲に装着した際に腰部の側部略全域に当接する大きさとすることにより、第２ベルト部を引張った際に第２ベルト部の基部と先端部との間に位置する箇所で第１ベルト部が収縮することになり、第１ベルト部のたるみが確実に防止できて、装着者により良好な装着感を与えることができる。
【００１３】
請求項３に記載の発明によれば、上記効果に加え、第２ベルト部の長手方向大きさを弾性部の長手方向大きさと片部の長手方向大きさとの総和よりも小さくすることにより、第２ベルト部の長さが短くなって扱い易くなり、操作性が向上する。しかも、使用を繰り返して第２ベルト部が多少伸びてしまった場合や装着者のウエストサイズが本来使用を想定しているサイズを若干下回る場合であっても背面側に設けられた第３係止部が第１係止部に係止される状態を維持できるので、繰り返しの使用やサイズの多少の違いを吸収し、腰痛を防止し緩和する効果を十分に奏させることができる。
【００１４】
請求項４に記載の発明によれば、上記効果に加え、一方の第２ベルト部の正面側に、第３係止部に係止される第４係止部が配設されたことにより、腰部に装着した際に第２ベルト部同士が重なり合う場合であっても一方の第２ベルトの第３係止部と第４係止部とを重ね合わせて係止させれば第２ベルト部による腰部の締め付けを行うことができるため、繰り返しの使用やサイズの大幅な違いを吸収し、腰痛を防止し緩和する効果を十分に奏させることができる。
【００１５】
請求項５に記載の発明によれば、上記効果に加え、第１係止部、第２係止部、第３係止部、及び第４係止部を面ファスナによって形成したことにより、それぞれ着脱を容易に行い、腰部に対する締め付けを自在に調節することが可能となって、腰痛を防止し緩和する効果を十分に奏させることができる。
【発明を実施するための最良の形態】
【００１６】
以下、この発明の実施の形態について図面を参照して説明する。
【００１７】
図１乃至図５には、この発明の実施の形態を示す。
【００１８】
まず構成を説明すると、図１中符号１Ａは腰痛防止用ベルトであって、腰痛を防止、緩和するために装着を希望する人間（以下「装着者」と称する。）の腰部に巻きつけて装着されるものである。
【００１９】
この腰痛防止用ベルト１Ａは、装着者の腰部に巻きつけて装着される第１ベルト部１と、この第１ベルト部１に固着された一対の第２ベルト部２，２とを備えている。
【００２０】
その第１ベルト部１は、図１中左右方向を長手方向（本明細書において同じ）とする、幅広の略帯状に形成されている。詳しくは、第１ベルト部１は、その長手方向略中央部に設けられた背当て部３と、この背当て部３の長手方向両端部に設けられた一対の弾性部４，４と、弾性部４，４よりもそれぞれ長手方向端部（以下単に「端部」と称する）方向に設けられた一対の片部５，５とを備えている。背当て部３の両端部には幅方向にわたって第１補強部６，６が設けられ、弾性部４，４の片部５，５側の端部には幅方向にわたって第２補強部７，７が設けられている。第１ベルト部１の全ての外縁部には縫代部８が形成されて、背当て部３、第１補強部６，６を含む弾性部４，４、第２補強部７，７を含む片部５，５が一体に縫製されている。
【００２１】
背当て部３は、図１に示す通り、上側（図１に示す上側、本明細書において同じ）が略直線状に形成され、下側（図１に示す下側、本明細書において同じ）が両端部から中央部方向に向けて下側に略円弧状に膨出した弧状部９に形成されている。背当て部３は、所定長手方向大きさＬ１、即ち、第１ベルト部１を装着者の腰部の周囲に装着した際に、装着者の腰部の背面側略全面に当接する大きさ（後述）に形成されている。
【００２２】
図１に示す背当て部３の正面側は、ナイロン繊維を、可撓性があり伸縮性が殆どない状態にメッシュ網みにしたメッシュ部１０が設けられている。メッシュ部１０により背当て部３に可撓性と非伸縮性とを持たせることにより、装着者の腰部にフィットさせることと、腰部に装着された状態で腰部の背面側を強く押圧することを可能としている。また、メッシュ網みとしたことにより、腰部に装着された状態での良好な通気性を確保できる。
【００２３】
図２に示す背当て部３の背面側には、吸湿性のある材質、例えば綿によって形成されたパイル部１１が配設されている。パイル部１１は、腰部に装着された際に汗を吸収して装着者に良好な装着感を与える。パイル部１１の上下方向大きさはメッシュ部１０の上下方向大きさよりも小さく、下側のみが縫代部８によってメッシュ部１０と縫製されており、上側には間隙部１２を形成している。パイル部１１の上側を縫代部８による縫製から開放することにより、メッシュ部１０とパイル部１１との間を収納部分として利用することが可能となるため、例えば寒い日にカイロを収納するような利用方法が可能となって、腰痛の防止や緩和の効果を促進させることができる。また、上側に間隙部１２を形成したことにより、メッシュ部１０とパイル部１１との間に収納する際にパイル部１１に手をかけて開く作業が容易になる。
【００２４】
背当て部３の第１補強部６，６は、例えば人工皮革のような比較的剛性の高い材質によって形成し、強固な縫いつけ状態を確保する。第１補強部６，６の中央部側にはメッシュ部１０とパイル部１１とが縫い付けられ、端部側には弾性部４と第２ベルト部２の基部（後述）とが縫い付けられている。
【００２５】
弾性部４は、ナイロンとポリウレタンの混紡のような伸縮性を有する素材からなるストレッチ部材１３が、長手方向に沿って等間隔で配設されている。また、弾性部４の上下方向渡っては、ナイロン糸のような可撓性と非伸縮性とを持つ非伸縮部材（図示せず）が多数配設されている。これらのストレッチ部材１３と非伸縮部材（図示せず）は縫い付けや接着といった方法で互いに固着されており、ゆえに弾性部４は長手方向にのみ伸縮する。
【００２６】
弾性部４の第２補強部７，７も、第１補強部６，６と同様の材質によって形成し、強固な縫いつけ状態を確保する。第２補強部７，７の中央部側には弾性部４のストレッチ部材１３が縫い付けられ、端部側には片部５が縫い付けられている。
【００２７】
弾性部４の長手方向大きさＬ２は、所定の長手方向大きさ、即ち、装着者の腰部の周囲に装着した際に、装着者の腰部の側部略全域にそれぞれ当接する大きさ（後述）に形成されている。
【００２８】
片部５は、それぞれ端部１４が略円弧状を呈する略Ｕ字型に形成されており、図１に示す正面側の略全域に面ファスナの雌部材からなる第１係止部１５が設けられている。一方、図２及び図４に示す通り、片部５の裏面の略全域には背当て部３の背面側と同様の材質によってメッシュ部１６に形成されており、可撓性と非伸縮性とを持たせて、装着者の腰部にフィットさせることと、第１係止部１５の強固な係止状態を確保している。
【００２９】
一方の片部５（図２の左側）の端部１４近傍には、面ファスナの雄部材からなる第２係止部１７が設けられている。この第２係止部１７は他方（図１の左側）の片部５の第１係止部１５に係止されて第１ベルト部１が装着者の腰部に装着された状態を維持させる。
【００３０】
図１に示す通り、腰痛防止用ベルト１Ａの正面側には、一対の第２ベルト部２，２が設けられている。
【００３１】
この第２ベルト部２は、例えばポリエステル繊維とポリウレタンゴム繊維の混紡のような素材を一対の幅広の帯状部材に形成し、正面視略Ｖ字型に配設したものである。この第２ベルト部２は長手方向の伸縮性を有する。これら一対の帯状部材における、拡開側の端部はそれぞれ基部１８、１８を形成して第１補強部６に縫い込まれており、縮小側の端部は先端部１９を形成して、一端側は一端側の片部５側に、他端側は他端側の片部５側に、それぞれ伸延させた状態に配設されている。第２ベルト部２を一対の部材によって形成したことにより、第２ベルト部２に高い弾性を持たせることができる。また、第２ベルト部２を帯状部材を正面視略Ｖ字状に形成し、拡開側の端部をそれぞれ第１補強部６に縫い込まれた基部１８、１８を形成し、縮小側の端部を先端部１９に形成したことにより、先端部１９を把持し易くて引張り易くすると共に第１ベルト部１に上下方向に広く均一な引張り力を加えることができる。
【００３２】
図１に示す通り、第２ベルト部２の長手方向大きさＬ３は、弾性部４の長手方向大きさと片部５の長手方向大きさとの総和Ｌ４よりも小さく、第２ベルト部２の先端部１９は正面視において片部５上の第２補強部７近傍側に位置している。
【００３３】
図３及び図５に示す通り、第２ベルト部２の背面側の先端部１９近傍には、面ファスナの雄部材からなる第３係止部２０が設けられている。また、一方（図１に示す左側）の第２ベルト部２の先端部１９近傍の正面側には、面ファスナの雌部材からなる第４係止部２１が設けられている。
【００３４】
次に、この実施の形態の作用について説明する。
【００３５】
図６に示す装着者２２の腰部に腰痛防止用ベルト１Ａを装着する際には、まず、図１乃至図５に示す腰痛防止用ベルト１Ａを、第１ベルト部１の弧状部９を下側に向けた状態で、装着者２２の腰部の背面側（即ち背中側）に第１ベルト部１の背当て部３の背面側を当接させる。これにより、装着者２２の腰部の背面側には、パイル部１１と間隙部１２のメッシュ部１０とが当接する。
【００３６】
この状態のまま、装着者２２は第１ベルト部１の両端の片部５，５をそれぞれ把持し、片部５，５を腰部の正面側（即ち腹側）方向に引張る。片部５，５の端部１４近傍は装着者２２の腰部の正面側で重なり合う状態となるので、装着者２２は、一方側（右手に把持している側）の片部５を上に、他方側（左手に把持している側）の片部５を下にして、各片部５，５を腰部正面側の中央方向に引張る。この状態で、両弾性部４，４は長手方向に伸長し、背当て部３は装着者２２の腰部の背面側に圧接される。
【００３７】
背当て部３が装着者２２に圧接された状態のまま、装着者２２が一方の片部５の背面を他方の片部５の正面に押し当てると、一方の片部５の第２係止部１７が他方の片部５の第１係止部１５に係止される。
【００３８】
次に、装着者２２は一対の第２ベルト部２，２をそれぞれ把持し、腰部の正面側方向にそれぞれ引張る。これにより、第２ベルト部２にかかった引張り力は基部１８が固着された第１補強部６を介して第１ベルト部１に伝わり、第１ベルト部１の腰当て部３は装着者２２の腰部正面方向に引張られて装着者の腰部背面側により強い力で圧接される。
【００３９】
このとき、腰当て部３がより強く引張られた分、弾性部４にかかった引張り力が弱くなり、弾性部４が収縮する。
【００４０】
背当て部３が装着者２２により強い力で圧接された状態のまま、装着者２２が両方の第２ベルト部２，２の背面を第１ベルト部１の正面に押し当てると、第２ベルト２，２の第３係止部２０が第１ベルト部１の第１係止部１５に係止される。これにより、図６に示すように、腰痛防止用ベルト１Ａが装着者２２の腰部に装着される。
【００４１】
このように、この実施の形態においては、第１ベルト部１の正面側に配設された一対の第２ベルト部２，２を備えたことにより、第１ベルト部１を装着者２２の腰部に装着したのち第２ベルト部２を引張って更に締め付けることができる。また、第２ベルト部２は基部１８が背当て部３の長手方向両端部近傍にそれぞれ固着され先端部１９が片部５側に伸延しているため、第１ベルト部１を装着者２２の腰部に装着した状態で第２ベルト部２の先端部１９を腰部正面側に向けて引張れば腰当て部３が均等な強い力で腰部に圧接される。しかも、腰部に装着した際に、背当て部３に第２ベルト部２が重ねて配設されることがないため、背当て部３の良好な通気性が確保される。
【００４２】
また、この実施の形態においては、第１係止部１５には第２係止部１７と第３係止部２０とを係止させることにより、係止部分の省スペース化を図ることができる。しかも、第１係止部１５は片部５の略全域に設けられているため、第１ベルト部１及び第２ベルト部２の長さ調節を自在に行うことができる。
【００４３】
また、この実施の形態においては、背当て部３を、装着者２２の腰部の周囲に装着した際に腰部の背面側略全面に当接する大きさとすることにより、腰部の周囲に装着して第１ベルト部１や第２ベルト部２を引張った際に腰部の背面部の略全面が均等な力で強く押圧することができる。また、弾性部４を、腰部の周囲に装着した際に腰部の側部略全域に当接する大きさとすることにより、第２ベルト部２を引張った際に第２ベルト部２の基部１８と先端部１９との間に位置する箇所で第１ベルト部１が収縮することになり、第１ベルト部１のたるみが確実に防止できる。
【００４４】
また、この実施の形態においては、第２ベルト部２の長手方向大きさＬ３を弾性部４の長手方向大きさと片部５の長手方向大きさとの総和Ｌ４よりも小さくすることにより、第２ベルト部２の長さが短くなって扱い易くなる。しかも、使用を繰り返して第２ベルト部２が多少伸びてしまった場合や装着者２２のウエストサイズが本来使用を想定しているサイズを若干下回る場合であっても背面側に設けられた第３係止部２０が第１係止部１５に係止する状態を維持できるので、繰り返しの使用やサイズの多少の違いを吸収できる。
【００４５】
また、この実施の形態においては、第１係止部１５、第２係止部１７、第３係止部２０を面ファスナによって形成したことにより、それぞれ着脱を容易に行い、腰部に対する締め付けを自在に調節することが可能となる。
【００４６】
なお、使用を繰り返して第２ベルト部２が大きく伸びてしまった場合や装着者２２のウエストサイズが本来使用を想定しているサイズを大きく下回る場合においては、装着者２２の腰部の正面側で両方の第２ベルト部２の先端部１９近傍同士が重なり合ってしまう。その場合には、装着者２２は、一方側（右手に把持している側）の第２ベルト部２の先端部１９近傍を上に、他方側（左手に把持している側）の第２ベルト部２の先端部１９近傍を下にして重なりあわせ、一方側の第２ベルト部２の背面を他方の第２ベルト部２の正面に押し当てる。これにより、一方の第２ベルト部２の第３係止部２０が他方の第２ベルト部２の第４係止部２１に係止される。
【００４７】
このように、この実施の形態においては、一方の第２ベルト部２の正面側に、第３係止部２０に係止される第４係止部２１が配設されたことにより、腰部に装着した際に第２ベルト部２同士が重なり合う場合であっても一方の第２ベルト部２の第３係止部２０と第４係止部２１とを重ね合わせて係止させれば第２ベルト部２による腰部の締め付けを行うことができるため、繰り返しの使用やサイズの大幅な違いを吸収することができる。
【００４８】
また、この実施の形態においては、第４係止部２１も面ファスナによって形成したことにより、それぞれ着脱を容易に行い、腰部に対する締め付けを自在に調節することが可能となる。
【００４９】
なお、この実施の形態においては、第１係止部１５、第２係止部１７、第３係止部２０、第４係止部２１を面ファスナによって形成したが、これに限定されず、相互に係止機能を有するものであればどのようなものを用いてもよい。例えば、相互に嵌合可能な雄雌のホック、ボタン、クリップ、紐等を用いても本発明を実現できる。
【００５０】
上記実施の形態は例示であり、本発明が上記実施の形態に限定されることを意味するものではないことは、いうまでもない。
【図面の簡単な説明】
【００５１】
【図１】この発明の実施の形態に係る、腰痛防止用ベルトの正面図である。
【図２】同上腰痛防止用ベルトの背面図である。
【図３】同上腰痛防止用ベルトの第２ベルト部を裏返した状態の正面図である。
【図４】同上腰痛防止用ベルトの矢視Ａ方向から見た側面図である。
【図５】同上腰痛防止用ベルトの第２ベルト部を正面方向に立ち上げた状態の側面図である。
【図６】同上腰痛防止用ベルトが装着者の腰部に装着された状態を示す図である。
【符号の説明】
【００５２】
１Ａ・・・腰痛防止用ベルト
１・・・第１ベルト部
２・・・第２ベルト部
３・・・腰当て部
４・・・弾性部
５・・・片部
１４・・・端部
１５・・・第１係止部
１７・・・第２係止部
１８・・・基部
１９・・・先端部
２０・・・第３係止部
２１・・・第４係止部
２２・・・装着者
Ｌ１・・・所定長手方向大きさ
Ｌ２・・・所定の長手方向大きさ
Ｌ３・・・第２ベルト部の長手方向大きさ
Ｌ４・・・弾性部の長手方向大きさと片部の長手方向大きさとの総和
【図４】
2007105308.tif 000003
【図５】
2007105308.tif 000004
【図６】
2007105308.tif 000005
【図１】
2007105308.tif 000006
【図２】
2007105308.tif 000007
【図３】
2007105308.tif 000008